(57)【要約】      （修正有）【課題】天井下地材へ足場板の負荷をかけず、足場板の設置方向が制限されない天井裏足場用金具を提供する。【解決手段】天井裏に設けられる足場板１１を天井から吊設された吊りボルト１に取り付けるための天井裏足場用金具９であって、前記吊りボルト１に固定される固定部としての天井側固定部１０と、前記足場板１１が載置される足場受部材１２を保持する第１の係止部１３と、前記第１の係止部１３と異なる向きに前記足場受部材１２を保持する第２の係止部１４とを備えたことにより、天井下地材へ足場板１１による負荷をかけず、天井裏の各種設備機器や構造によって足場板１１の設置方向が制限されない。【選択図】図１
0003205669.tif 000002
【実用新案登録請求の範囲】
【請求項１】
天井裏に設けられる足場板を天井から吊設された吊りボルトに取り付けるための天井裏足場用金具であって、
前記吊りボルトに固定される固定部と、
前記足場板が載置される足場受部材を保持する第１の係止部と、
前記第１の係止部と異なる向きに前記足場受部材を保持する第２の係止部とを備えたことを特徴とする天井裏足場用金具。
【請求項２】
前記第１の係止部と前記第２の係止部を互いに異なる高さに備えたことを特徴とする請求項１記載の天井裏足場用金具。
【請求項３】
前記第１の係止部と第２の係止部を直交させて備えたことを特徴とする請求項１又は２に記載の天井裏足場用金具。
【請求項４】
前記第２の係止部を前記第１の係止部より高く設けるとともに、
前記第２の係止部を前記足場受部材を横向きに保持可能としたことを特徴とする請求項２記載の天井裏足場用金具。
【請求項５】
前記固定部は上面部、右側面部、左側面部、背面部を備え、
前面及び底面を連続して開放して形成された開口部と、
前記上面部に前記開口部と連続して形成された溝部とを備えたことを特徴とする請求項１〜４のいずれか１項に記載の天井裏足場用金具。
【請求項６】
前記固定部は、前記左側面部及び前記右側面部の少なくとも一方から前記開口部へ延設された側面保持部を備えたことを特徴する請求項５記載の天井裏足場用金具。
【請求項７】
前記第１の係止部を前記背面部に備え、
前記第２の係止部を前記左側面部又は前記右側面部の少なくとも一方に備え、
前記左側面部及び右側面部の少なくとも一方に前記第２の係止部より下方に備えた下側保持部を備えたことを特徴とする請求項５又は６に記載の天井裏足場用金具。
【請求項８】
前記第１の係止部は、前記背面部の下端から水平方向に延設された第１の横面部と、前記第１の横面部から上向きに立設された第１の縦面部とを備えたことを特徴とする請求項７記載の天井裏足場用金具。
【請求項９】
前記第２の係止部は、前記左側面部又は前記右側面部の下端から水平方向に延設された第２の横面部と、前記第２の横面部から上向きに立設された第２の縦面部とを備えたことを特徴とする請求項７又は８に記載の天井裏足場用金具。
【請求項１０】
前記固定部、前記第１の縦面部及び前記第２の縦面部に前記足場受部材の抜け止めを防止する抜止部材を挿通する挿通孔が形成されていることを特徴とする請求項９記載の天井裏足場用金具。
【考案の詳細な説明】
【技術分野】
【０００１】
本考案は、天井裏に設けられる足場板を支持するための天井裏足場用金具に関する。
【背景技術】
【０００２】
従来、吊り天井において天井下地材の補修や点検、各種補強作業を行うために野縁受け部材等の天井下地材に足場板を直接架け渡して、この足場板に作業者が乗って作業していた。しかし、天井下地材に足場板を直接架け渡していると、天井下地材に局所的な荷重がかかり、天井下地材が変形または破損してしまう虞があった。
【０００３】
そこで、足場板を吊りボルトに支持するための金具（特許文献１）がある。
【先行技術文献】
【特許文献】
【０００４】
【特許文献１】特許第５３１９４２５号公報
【考案の概要】
【考案が解決しようとする課題】
【０００５】
しかし、特許文献１の金具では、足場板が載置される足場受部材を支持する支持部が一つしかないため、足場受部材が設置される方向が一方向に制限されてしまい、足場受部材に載置される足場板の設置方向にも制限が生じてしまい、施工性に問題があった。
【０００６】
そこで、本考案は、天井下地材へ足場板による負荷をかけず、足場板の設置方向が制限されない天井裏足場用金具を提供することを目的とする。
【課題を解決するための手段】
【０００７】
請求項１の考案は、天井裏に設けられる足場板を天井から吊設された吊りボルトに取り付けるための天井裏足場用金具であって、前記吊りボルトに固定される固定部と、前記足場板が載置される足場受部材を保持する第１の係止部と、前記第１の係止部と異なる向きに前記足場受部材を保持する第２の係止部とを備えたことを特徴とする。
【０００８】
請求項２の考案は、前記第１の係止部と前記第２の係止部を互いに異なる高さに備えたことを特徴とする。
【０００９】
請求項３の考案は、前記第１の係止部と第２の係止部を直交させて備えたことを特徴とする。
【００１０】
請求項４の考案は、前記第２の係止部を前記第１の係止部より高く設けるとともに、前記第２の係止部を前記足場受部材を横向きに保持可能としたことを特徴とする。
【００１１】
請求項５の考案は、前記固定部は上面部、右側面部、左側面部、背面部を備え、前面及び底面を連続して開放して形成された開口部と、前記上面部に前記開口部と連続して形成された溝部とを備えたことを特徴とする。
【００１２】
請求項６の考案は、前記固定部は、前記左側面部及び前記右側面部の少なくとも一方から前記開口部へ延設された側面保持部を備えたことを特徴する。
【００１３】
請求項７の考案は、前記第１の係止部を前記背面部に備え、前記第２の係止部を前記左側面部又は前記右側面部の少なくとも一方に備え、前記左側面部及び右側面部の少なくとも一方に前記第２の係止部より下方に備えた下側保持部を備えたことを特徴とする。
【００１４】
請求項８の考案は、前記第１の係止部は、前記背面部の下端から水平方向に延設された第１の横面部と、前記第１の横面部から上向きに立設された第１の縦面部とを備えたことを特徴とする。
【００１５】
請求項９の考案は、前記第２の係止部は、前記左側面部又は前記右側面部の下端から水平方向に延設された第２の横面部と、前記第２の横面部から上向きに立設された第２の縦面部とを備えたことを特徴とする。
【００１６】
請求項１０の考案は、前記固定部、前記第１の縦面部及び前記第２の縦面部に前記足場受部材の抜け止めを防止する抜止部材を挿通する挿通孔が形成されていることを特徴とする。
【考案の効果】
【００１７】
請求項１の考案によれば、天井下地材へ足場板による負荷をかけず、足場板の設置方向が制限されない天井裏足場用金具を提供することができる。
【００１８】
請求項２の考案によれば、足場受部材を第１の係止部と第２の係止部に同時に保持することができる。
【００１９】
請求項３の考案によれば、足場受部材を格子状に組むことができる。
【００２０】
請求項４の考案によれば、足場受部材を横向きに保持することで、足場受部材を縦向きに保持するより足場板の高さを低く抑えることができる。
【００２１】
請求項５の考案によれば、固定部を箱型形状としたことで、吊りボルトに装着されたナットやハンガー等に開口部から外嵌することで、固定部にナットやハンガー等を内包し、溝部の縁部分に吊りボルトに装着されたナットやハンガー等を係止させて、天井裏足場用金具を吊りボルトに取り付けることができる。また、固定部に内包されたハンガー等は、固定部の右側面部、左側面部、背面部によって周囲を保持されるので固定部のガタツキを防ぐことができる。
【００２２】
請求項６の考案によれば、固定部に内包されたハンガー等を側面保持部によって保持してガタツキを防ぐとともに、ハンガー等が開口部から離脱するのを防ぎ、固定部が吊りボルトから離脱するのを防止する。
【００２３】
請求項７の考案によれば、下側保持部がハンガーに保持された天井下地材に当接し、固定部のガタツキを防ぐことができる。
【００２４】
請求項８の考案によれば、足場受部材を容易に保持することができる。
【００２５】
請求項９の考案によれば、足場受部材を容易に保持することができる。
【００２６】
請求項１０の考案によれば、第１の係止部及び第２の係止部に保持された足場受部材が、第１の係止部及び第２の係止部から脱落するのを防ぐことができる。
【図面の簡単な説明】
【００２７】
【図１】本考案の第１実施例における天井裏足場用金具の使用状態を示す斜視図である。
【図２】同上、天井裏足場用金具の斜視図である。
【図３】同上、図２とは異なる視点から見た天井裏足場用金具の斜視図である。
【図４】同上、天井裏足場用金具の使用状態を示す正面図である。
【図５】同上、天井裏足場用金具の使用状態を示す側面図である。
【図６】本考案の第２実施例における天井裏足場用金具の使用状態を示す斜視図である。
【図７】同上、天井裏足場用金具の斜視図である。
【図８】同上、図７とは異なる視点から見た天井裏足場用金具の斜視図である。
【図９】同上、天井裏足場用金具の使用状態を示す正面図である。
【図１０】同上、天井裏足場用金具の使用状態を示す正面図である。
【考案を実施するための最良の形態】
【００２８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２９】
図１〜図５は本考案の実施例１を示すものであり、本実施例の吊り天井構造の一例を図１に示すと、断面略Ｃ形状の溝形鋼からなる複数の野縁部材と、上部構造体としてのコンクリート下地等の上階床スラブや屋根構造物より垂設された垂設部材としての吊りボルト1に吊り下げ手段としてのハンガー２を介して接続された断面略Ｃ形状の形鋼からなる野縁受け部材３とを、クリップ等の野縁保持具を介して互いに直交させて一体化して天井下地材としての格子体を形成し、野縁部材の下面に石膏ボード、コンパネ等の板材からなる天井パネルをビス等によって取り付けて構成するものである。
【００３０】
ハンガー２は、吊りボルト1を取り付ける取付部４と、野縁受け部材３を保持する係止部５とを一体的に備えた金属板を略Ｓ型形状に折り曲げ形成したものからなる。取付部４は、水平方向と平行に備えた上面部６の略中央部分に吊りボルト１が挿通可能な取付穴７を備えている。
【００３１】
係止部５は、上面部６から垂直下向きに延設された延設部分８を上面部と反対方向に上方が開放されたコ型又はＵ型に折り曲げて形成されたものである。
【００３２】
本実施例の天井裏足場用金具９は、ハンガー２或いは吊りボルト１に固定される天井側固定部１０と、足場板１１を載置するための足場受部材１２を保持する複数の係止部１３、１４とを備えている。
【００３３】
天井側固定部１０は、上面部１５、右側面部１６、左側面部１７及び背面部１８によって囲まれ、底面と前面を連続して開放した中空箱型形状とし、ハンガー２の上面部６から延設部分８までを内部に収容可能な形状としている。
【００３４】
天井側固定部１０の上面部１５は、右側面部１６と左側面部１７の上部を互いに対向するように直角に折り曲げられて水平に形成されており、中央部分が溝部１９によって分割されている。溝部１９は、前面の開放部分まで連続して形成されている。
【００３５】
天井側固定部１０の右側面部１６には、右側面部１６の前側下部を前方に延設した箇所を垂直に折り曲げ形成した第１の保持部２０を備えている。第１の保持部２０は、背面部１８と平行に設けられている。
【００３６】
天井側固定部１０の左側面部１７には、左側面部１７の前側下部を下方に延設した第２の保持部２１を備えている。
【００３７】
天井側固定部１０の背面部１８の下部には、背面部１８、第１の横面部２２、第１の縦面部２３によって囲まれ、上方が開放されたコ型又はＵ型の第１の係止部１３を備えている。
【００３８】
天井側固定部１０の左側面部１７の下部には、左側面部１７、第２の横面部２４、第２の縦面部２５によって囲まれ、上方が開放されたコ型又はＵ型の第２の係止部１４を備えている。
【００３９】
第１の係止部１３における背面部１８と第１の縦面部２３間の幅寸法Ｌ１は、足場受部材１２としてのＣ型鋼を縦向きにして保持可能な寸法に形成されており、第２の係止部１４における左側面部１７と第２の縦面部２５間の幅寸法Ｌ２は、Ｃ型鋼を横向きにして保持可能な寸法に形成されている（Ｌ１＜Ｌ２）。
【００４０】
また、第１の係止部１３の第１の横面部２２と第２の係止部１４の第２の横面部２４は高さが異なっており、第１の係止部１３に保持された足場受部材１２と第２の係止部１４に保持された足場受部材１２が直交した状態で上下方向に接触しないようになっている。
【００４１】
第１の係止部１３において、第１の縦面部２３に形成された第１の貫通孔２６と、背面部１８に形成された第１の螺子穴２７によって、足場受部材１２の脱落を防止する第１の螺子部材２８が取り付け可能となっている。
【００４２】
同様に、第２の係止部１４において、第２の縦面部２５に形成された第２の貫通孔２９と、左側面部１７に形成された第２の螺子穴３０によって、足場受部材１２の脱落を防止する第２の螺子部材３１が取り付け可能となっている。
【００４３】
尚、第１の螺子部材２８及び第２の螺子部材２９の雄螺子部は、第１の螺子穴２７及び第２の螺子穴３０から天井側固定部１０の内部へ露出しない寸法となっており、天井側固定部１０にハンガー２を収容する際、引っ掛かりを防いでいる。
【００４４】
以上の本実施例の構成について作用効果について説明する。最初にハンガー２の取付状態について説明すると、上面部６の取付穴７に吊りボルト１が挿通された状態で、上面部６の上下方向から吊りボルト１に一対のナット３２、３３が螺着され、ハンガー２は吊りボルト１に固定されている。
【００４５】
続いて、天井裏足場用金具９の取り付け方法について説明すると、ハンガー２が固定された状態の吊りボルト１に、天井裏足場用金具９の天井側固定部１０を前面と底面側の開放部分からハンガー２に被せて、ナット３２に天井側固定部１０の上面部１５の溝部１９の縁部分が係止された状態で天井側固定部１０内にハンガー２を収容する。
【００４６】
天井側固定部１０内に収容された状態のハンガー２は、延設部分８を天井側固定部１０の前面側の開放部分から露出させた状態で、第１の保持部２０が延設部分８と面接触状態で当接し、右側面部１６と左側面部１７から第２の保持部２１にかけて延設部分８の両側面の縁部分に線接触状態で当接し、上面部６が背面部１８の縁部分に線接触状態で当接し、前面側、背面部１８側、右側面部１６側、左側面部１７側の四方から天井側固定部１０に保持されており、天井側固定部１０に収容されたハンガー２の脱落やガタツキを防止する。
【００４７】
第１の係止部１３と第２の係止部１４がそれぞれ形成された背面部１８と左側面部１７の面方向が直交しているため、第１の係止部１３に保持された足場受部材１２と、第２の係止部１４に保持された足場受部材１２は、水平方向において互いに直交している。
【００４８】
さらに、第１の係止部１３の第１の横面部２２と第２の係止部１４の第２の横面部２４は高さが異なっており、第１の係止部１３に保持された足場受部材１２と第２の係止部１４に保持された足場受部材１２が直交した状態で上下方向に接触しないようになっており、足場受部材１２を格子状に組むことが可能となっている。格子状に組んだ足場受部材１２によって隣接する４本の吊りボルト１を水平方向に連結することで、天井裏の揺れを防止することができる。
【００４９】
そして、第１の係止部１３に保持された足場受部材１２や第２の係止部１４に保持された足場受部材１２に、足場板１１を架け渡して、天井裏の足場が完成する。
【００５０】
以上のように本考案は、天井裏に設けられる足場板１１を天井から吊設された吊りボルト１に取り付けるための天井裏足場用金具９であって、前記吊りボルト１に固定される固定部としての天井側固定部１０と、前記足場板１１が載置される足場受部材１２を保持する第１の係止部１３と、前記第１の係止部１３と異なる向きに前記足場受部材１２を保持する第２の係止部１４とを備えたことにより、天井下地材へ足場板１１による負荷をかけず、天井裏の各種設備機器や構造によって足場板１１の設置方向が制限されない天井裏足場用金具９を提供することができる。
【００５１】
また、前記第１の係止部１３と前記第２の係止部１４を互いに異なる高さに備えたことにより、足場受部材１２を第１の係止部１３と第２の係止部１４に同時に保持することができる。
【００５２】
また、前記第１の係止部１３と第２の係止部１４を直交させて備えたことにより、足場受部材１２を格子状に組むことができる。
【００５３】
また、前記第２の係止部１４を前記第１の係止部１３より高く設けるとともに、前記第２の係止部１４を前記足場受部材１２を横向きに保持可能としたことにより、足場受部材１２を縦向きに保持するより足場板１１の高さを低く抑えることができる。
【００５４】
また、前記吊りボルト１は天井下地材としての野縁受け部材３を保持するハンガー２を備え、前記ハンガー２は、前記吊りボルト１に取り付けられる上面部６と、前記上面部６から下向きに延設された延設部分８と、前記延設部分８に形成された係止部５とを備え、前記天井側固定部１０は、前記ハンガー２を収容可能な中空箱型形状とし、前記延設部分８に当接可能な第１の保持部２０及び第２の保持部２１を備えたことにより、天井裏足場用金具９の脱落やガタツキを抑えることができる。
【００５５】
また、天井側固定部１０は上面部６、右側面部１６、左側面部１７、背面部１８を備えた箱型形状に構成され、前面及び底面を連続して開放して形成された開口部と、前記上面部６に前記開口部と連続して形成された溝部１９とを備えている。この場合、天井側固定部１０を箱型形状としたことで、吊りボルト１に装着されたナット３２やハンガー２等に開口部から外嵌することで、天井側固定部１０にナット３２やハンガー２等を内包し、溝部１９の縁部分に吊りボルト１に装着されたナット３２やハンガー２等を係止させて、天井裏足場用金具９を吊りボルト１に取り付けることができる。また、天井側固定部１０に内包されたハンガー２等は、天井側固定部１０の右側面部１６、左側面部１７、背面部１８によって周囲を保持されるので天井側固定部１０のガタツキを防ぐことができる。
【００５６】
また、天井側固定部１０は、左側面部１７及び右側面部１６の少なくとも一方から前記開口部へ延設された側面保持部２０を備えたことにより、天井側固定部１０に内包されたハンガー２等を側面保持部２０によって保持してガタツキを防ぐとともに、ハンガー２等が開口部から離脱するのを防ぎ、天井側固定部１０が吊りボルト１から離脱するのを防止する。
【００５７】
また、前記第１の係止部１３を前記背面部１８に備え、前記第２の係止部１４を前記左側面部１７又は前記右側面部１６の少なくとも一方に備え、前記左側面部１７及び右側面部１６の少なくとも一方に前記第２の係止部１４より下方に備えた下側保持部２１を備えたことにより、下側保持部２１がハンガー２に保持された天井下地材としての野縁受部材３に当接し、天井側固定部１０のガタツキを防ぐことができる。
【００５８】
また、前記第１の係止部１３は、前記背面部１８の下端から水平方向に延設された第１の横面部２２と、前記第１の横面部２２から上向きに立設された第１の縦面部２３とを備えたコ型形状を有し、前記第１の係止部１３の開口部側を閉塞した状態で前記第１の縦面部２３又は前記背面部１８に螺合可能な棒状部材としての第１の螺子部材２８を備えたことにより、第１の係止部１３に保持された足場受部材１２が、第１の係止部１３から脱落するのを防ぐことができる。
【００５９】
また、前記第２の係止部１４は、前記左側面部１７又は前記右側面部１６の下端から水平方向に延設された第２の横面部２４と、前記第２の横面部２４から上向きに立設された第２の縦面部２５とを備えたコ型形状を有し、前記第２の係止部１４の開口部側を閉塞した状態で前記第２の縦面部２５又は前記左側面部１７又は前記右側面部１６に螺合可能な棒状部材としての第２の螺子部材３１を備えたことにより、第２の係止部１４に保持された足場受部材１２が、第２の係止部１４から脱落するのを防ぐことができる。
【００６０】
また、天井側固定部１０、第１の縦面部２３及び前記第２の縦面部２５に前記足場受部材１２の抜け止めを防止する抜止部材としての螺子部材２８、３１を挿通する挿通孔として第１の貫通孔２６、第１の螺子穴２７、第２の貫通孔２９、第２の螺子穴３０が形成されていることにより、第１の係止部１３及び第２の係止部１４に保持された足場受部材１２が、第１の係止部１３及び第２の係止部１４から脱落するのを防ぐことができる。
【００６１】
また、吊りボルト１に装着された金具ＰにワイヤーＷの一端を固定し、このワイヤーＷの他端を足場受部材１２に固定することで、足場受部材１２の落下を防止することができる。
【実施例２】
【００６２】
次に実施例２について図６〜図１０を参照して説明する。尚、前記実施例１と同一部分には同一符号を付し、その詳細な説明を省略する。本実施例における天井裏足場用金具９の背面部１８の下部は、背面部１８の左右両側の下部を水平方向に延設した第１の右側係止片４０と第１の左側係止片４１を備えた略Ｔ型に形成されており、背面部１８の下方を水平に延設した横面部４２と、背面部１８の下部と同様な形状を有し、第２の右側係止片４３と第２の左側係止片４４とを備えた縦面部４５によって囲まれ、上方が開放されたコ型又はＵ型の第１の係止部１３を備えている。縦面部４５の上部中央には、上向きに延設され背面部１８と平行な上向き延設部４６を備えており、この上向き延設部４６の上端から水平方向に延設された受部材用固定部４６Ａを備えている。
【００６３】
また、第１の右側係止片４０、第２の右側係止片４３、第１の左側係止片４１および第２の左側係止片４４の外側上部には、それぞれ突起部４７、４８、４９、５０が設けられている。
【００６４】
本実施例の第２の係止部１４は、右側面部１６、第１の右側係止片４０、突起部４７によって囲まれた第１の前側凹部５１と、上向き延設部４６、第２の右側係止片４３、突起部４８によって囲まれた第１の後側凹部５２に足場受部材１２を架設する右側係止部５３と、左側面部１７、第１の左側係止片４１、突起部４９によって囲まれた第２の前側凹部５４と、上向き延設部４６、第２の左側係止片４４、突起部５０によって囲まれた第２の後側凹部５５に足場受部材１２を架設する左側係止部５６とを備えている。
【００６５】
第１の係止部１３における背面部１８と縦面部４５間の幅寸法Ｌ１は、足場受部材１２としてのＣ型鋼を縦向きにして保持可能な寸法に形成されており、第２の係止部１４における右側面部１６と突起部４７間、左側面部１７と突起部４９間、および縦面部４５と突起部４８、５０間の幅寸法Ｌ２は、Ｃ型鋼を横向きにして保持可能な寸法に形成されている（Ｌ１＜Ｌ２）。
【００６６】
また、第１の係止部１３の横面部４２と第２の係止部１４の第１の右側係止片４０、第２の右側係止片４３、第１の左側係止片４１および第２の左側係止片４４の各上面は高さが異なっており、第１の係止部１３に保持された足場受部材１２と第２の係止部１４に保持された足場受部材１２が直交した状態で上下方向に接触しないようになっている。
【００６７】
第１の係止部１３において、縦面部４５に形成された貫通孔５７と、背面部１８に形成された螺子穴５８によって、足場受部材１２の脱落を防止する螺子部材５９が取り付け可能となっている。また、第２の係止部１４において、受部材用固定部４６Ａに形成された貫通孔６０によって、足場受部材１２の脱落を防止する螺子部材６１が取り付け可能となっている。
【００６８】
尚、螺子部材５９の雄螺子部は、螺子穴５８から天井側固定部１０の内部へ露出しない寸法となっており、天井側固定部１０にハンガー２を収容する際、引っ掛かりを防いでいる。
【００６９】
また、右側面部１６の前面側に設けられた貫通孔６２と左側面部１７の前面に設けられた螺子穴６３によって、天井側固定部１０からハンガー２が離脱するのを防止する螺子部材６４が取り付け可能となっている。
【００７０】
以上のように本考案は、天井裏に設けられる足場板１１を天井から吊設された吊りボルト１に取り付けるための天井裏足場用金具９であって、前記吊りボルト１に固定される固定部としての天井側固定部１０と、前記足場板１１が載置される足場受部材１２を保持する第１の係止部１３と、前記第１の係止部１３と異なる向きに前記足場受部材１２を保持する第２の係止部１４とを備えたことにより、天井下地材へ足場板１１による負荷をかけず、天井裏の各種設備機器や構造によって足場板１１の設置方向が制限されない天井裏足場用金具９を提供することができる。
【００７１】
また、前記第１の係止部１３と前記第２の係止部１４を互いに異なる高さに備えたことにより、足場受部材１２を第１の係止部１３と第２の係止部１４に同時に保持することができる。
【００７２】
また、前記第１の係止部１３と第２の係止部１４を直交させて備えたことにより、足場受部材１２を格子状に組むことができる。
【００７３】
また、前記第２の係止部１４を前記第１の係止部１３より高く設けるとともに、前記第２の係止部１４を前記足場受部材１２を横向きに保持可能としたことにより、足場受部材１２を縦向きに保持するより足場板１１の高さを低く抑えることができる。
【００７４】
また、天井側固定部１０は上面部６、右側面部１６、左側面部１７、背面部１８を備えた箱型形状に構成され、前面及び底面を連続して開放して形成された開口部と、前記上面部６に前記開口部と連続して形成された溝部１９とを備えている。この場合、天井側固定部１０を箱型形状としたことで、吊りボルト１に装着されたナット３２やハンガー２等に開口部から外嵌することで、天井側固定部１０にナット３２やハンガー２等を内包し、溝部１９の縁部分に吊りボルト１に装着されたナット３２やハンガー２等を係止させて、天井裏足場用金具９を吊りボルト１に取り付けることができる。また、天井側固定部１０に内包されたハンガー２等は、天井側固定部１０の右側面部１６、左側面部１７、背面部１８によって周囲を保持されるので天井側固定部１０のガタツキを防ぐことができる。
【００７５】
また、前記第１の係止部１３は、前記背面部１８の下端から水平方向に延設された横面部４２と、前記横面部４２から上向きに立設された縦面部４５とを備えたコ型形状を有し、足場受部材１２を容易に保持することができる。
【００７６】
また、天井側固定部１０及び縦面部４５に前記足場受部材１２の抜け止めを防止する抜止部材としての螺子部材５９を挿通する挿通孔として貫通孔５７、螺子穴５８が形成されていることにより、第１の係止部１３に保持された足場受部材１２が、第１の係止部１３から脱落するのを防ぐことができる。
【００７７】
本考案は上記各実施例に限定されるものではなく、本考案の要旨の範囲内において種々の変形実施が可能である。例えば、足場受部材は、Ｃ型鋼に限定されず、角パイプ等の形材とする。また、側面保持部は、左側面部に限定されるものではなく、右側面部或いは左側面部及び右側面部の両側に備えてもよい。同様に下側保持部についても、右側面部に限定されるものではなく、左側面部或いは左側面部及び右側面部の両側に備えてもよい。また、第２の係止部についても、左側面部に限定されるものではなく、右側面部或いは左側面部及び右側面部の両側に備えてもよい。
【符号の説明】
【００７８】
１  吊りボルト
３  野縁受け部材（天井下地材）
９  天井裏足場用金具
１０  天井側固定部（固定部）
１１  足場板
１２  足場受部材
１３  第１の係止部
１４  第２の係止部
２０  側面保持部
２１  下側保持部
２２  第１の横面部
２３  第１の縦面部
２４  第２の横面部
２５  第２の縦面部
２６  第１の貫通孔（挿通孔）
２７  第１の螺子穴（挿通孔）
２９  第２の貫通孔（挿通孔）
３０  第２の螺子穴（挿通孔）
４３  横面部
４５  縦面部
５７  貫通孔
５８  螺子穴
【図１】
0003205669.tif 000003
【図２】
0003205669.tif 000004
【図３】
0003205669.tif 000005
【図４】
0003205669.tif 000006
【図５】
0003205669.tif 000007
【図６】
0003205669.tif 000008
【図７】
0003205669.tif 000009
【図８】
0003205669.tif 000010
【図９】
0003205669.tif 000011
【図１０】
0003205669.tif 000012